(57)【要約】【課題】電源投入のタイミングにかかわらず、誤った外部電源への接続などで生じえる、電源電圧の過電圧から保護する。【解決手段】電源投入時に、前記供給側の電源の電圧が、過電圧を判定する基準電圧以下である状態が、規定時間継続すると、トランジスタＱ２がオンになる。該継続の後に該電源投入を有効とすることで、電源投入のタイミングにかかわらず、電源電圧の過電圧から保護することができる。【選択図】図４
2007014691.tif 000002
【特許請求の範囲】
【請求項１】
外部の設備からパチンコ機の内部へ供給される、交流の電源の経路に設けられる、該電源を整流し、パチンコ機内部の各部へ供給するパチンコ機用電源装置において、
電源投入時に、前記電源の電圧が、過電圧を判定する基準電圧以下である状態が、規定時間継続した後から、該電源投入を有効とすることを特徴とするパチンコ機用電源装置。
【請求項２】
請求項１に記載のパチンコ機用電源装置において、
前記規定時間を、過電圧として供給されるおそれがある電源の、交流の周期で変化する前記電源電圧が、前記基準電圧以下となってから、再び該基準電圧以上となるまでの期間より、長い時間としたことを特徴とするパチンコ機用電源装置。
【発明の詳細な説明】
【技術分野】
【０００１】
本発明は、電源投入のタイミングにかかわらず、誤った外部電源への接続などで生じえる電源電圧の過電圧から、パチンコ機の内部回路を比較的な簡単な構成で確実に保護することができるパチンコ機用電源装置に関する。
【背景技術】
【０００２】
通常、パチンコ機には、交流（ＡＣ（Alternating  Current）：以下ＡＣと呼ぶ）２４Ｖの電源を、外部の設備の電源から供給する。これに対して、パチンコ機と共に設置される貸し玉機などには、ＡＣ１００Ｖの電源を、外部の設備の電源から供給する。パチンコ機に、このＡＣ１００Ｖの電源を誤って接続してしまうと、過電圧によって、パチンコ機の内部回路を損傷する虞がある。
【０００３】
このため、特許文献１では、過電圧保護装置を設けている。又、特許文献２では、パチンコ機の電源コードの途中に、このような過電圧保護装置を設けている。
【０００４】
例えば、図１は、従来からの、過電圧保護機能を設けたパチンコ機用電源装置の回路図である。又、図２は、過電圧時における該過電圧保護機能の動作を示すタイムチャートである。
【０００５】
この図のパチンコ機用電源装置では、電源スイッチＳＷ１の左側端から、外部の設備から電源が供給されている。又、該電源は、電源スイッチＳＷ１がオンになると、電源回路２０において、ダイオード・ブリッジＤＢ２により直流に整流され（タイムチャートの上から１段目）、コンデンサＣにより平滑化され、図１中右端から、パチンコ機内部の各部へ供給される。
【０００６】
図１中のリレーＲＹ１の接点は、そのコイルが非励磁状態ではオフとなるいわゆるＡ接点であり、該電源スイッチＳＷ１がオンになった直後は、オフになっている。又、図２や後述する図３、図５において、一点鎖線の電圧Ｖ０は、外部設備の電源の電圧が過電圧であると判定する基準となる電圧であり、二点差線の電圧Ｖ１は、該電圧より高い、過電圧によってパチンコ機の内部回路が損傷するおそれが高い電圧である。又、一点鎖線の電圧Ｖ２は、トランジスタＱ２がオン状態となる、閾値のベース電圧である。該電圧Ｖ２以上でトランジスタＱ２がオン状態となる。
【０００７】
このパチンコ機用電源装置では、外部設備の電源の電圧が過電圧であるか否か判定する過電圧保護機能が設けられており、電源スイッチＳＷ１のオン操作の後、過電圧ではない場合にのみ、リレーＲＹ１の接点がオンになり、パチンコ機内部の各部へ電源が供給されることになる。符号１０が過電圧保護機能を実現する回路、即ち過電圧保護回路であり、符号１６は、該過電圧保護回路１０の電源回路である。過電圧保護回路１０において、特に符号１２が、外部設備の電源の電圧が過電圧であるか否か判定する、過電圧判定回路になっている。
【０００８】
過電圧保護機能の作用について説明すると、上記の過電圧判定の基準となる電圧は、抵抗Ｒ１及び抵抗Ｒ２の分圧比、又ツェナーダイオードＺＤ１のツェナー電圧の大きさによって設定されている。
【０００９】
電源回路１６において、ダイオード・ブリッジＤＢ１で整流されコンデンサＣｘにより平滑化された電圧が、上記の過電圧判定基準電圧より小であって、つまり外部設備の電源の電圧が過電圧ではない場合、トランジスタＱ１のコレクタ及びエミッタはオフとなり、トランジスタＱ２はオンとなってリレーＲＹ１のコイルの電流が該トランジスタＱ２のコレクタ及びエミッタに流れる。該コイルの電流が流れると、該リレーＲＹ１の接点がオンになり、パチンコ機内部の各部へ電源が供給されることになる。
【００１０】
他方、該整流の電圧が、該過電圧判定基準電圧より大で、つまり過電圧である場合、例えば図２のタイムチャートに示すような場合、時刻ｔ０において電源投入後、過電圧判定の基準となる電圧であるゆえ（タイムチャートの上から１段目及び２段目）、ツェナーダイオードＺＤ１に電流が流れる（タイムチャートの上から３段目）。又、該電流はトランジスタＱ１のベースからエミッタに流れ、該トランジスタＱ１のコレクタ及びエミッタはオンとなり、該トランジスタＱ１のコレクタ電流も流れる（同じく上から４段目）。すると、該オンによって、トランジスタＱ２のベースの電圧が抑えられゼロのままとなり（同じく上から５段目）、該トランジスタＱ２のコレクタ及びエミッタの間はオフのままとなるので、リレーＲＹ１のコイルの電流が遮断されたままとなる。該コイルの電流が遮断されたままであると、電源スイッチＳＷ１がオンであることに係わらず、該リレーＲＹ１の接点はオフであり、パチンコ機内部の各部への電源は供給されない（同じく上から６段目）。つまり、過電圧ゆえ、過電圧保護機能により該供給が阻止されることになる。
【００１１】
【特許文献１】特開平９−２８５５９８号公報
【特許文献２】特開平１０−１１２９２７号公報
【発明の開示】
【発明が解決しようとする課題】
【００１２】
ここで、過電圧保護機能の動作について、詳細に分析したところ、限られたタイミングではあるが、電源スイッチのオンのタイミングによっては、該過電圧保護機能が適切に動作せず、外部設備の電源の電圧が過電圧であるにも拘わらず、パチンコ機内部の各部へ、一時的に、電源が供給されてしまうことが判明した。限られたタイミングであっても、過電圧による内部回路の損傷は、防止するようにしなければならないことは言うまでもない。
【００１３】
例えば、図１のパチンコ機用電源装置において、図３のタイムチャートでは、電源スイッチＳＷ１の左側端から供給される電源の電圧は、図２のタイムチャートと同じであって、即ち過電圧である。しかしながら、この図３では、図２より遅いタイミング、具体的には、交流の電圧が低くなっているタイミングの時刻ｔ１で、電源スイッチＳＷ１をオンにしている。
【００１４】
このため、左側端から供給される電源の電圧が、時刻ｔ３において、過電圧と判定される電圧まで上昇するまでの期間、トランジスタＱ２のベースに電圧が印加され（図３のタイムチャートの上から５段目）、該トランジスタＱ２のコレクタ及びエミッタ間はオンとなり、リレーＲＹ１の接点がオンとなって、パチンコ機内部に電源が供給されることになる。
【００１５】
一旦、電源供給が開始された後、時刻ｔ３から過電圧になっても、過電圧と判定されて、これゆえにリレーＲＹ１の接点が再びオフになるのは時刻ｔ５まで遅れてしまう。そのため、電源回路２０のコンデンサＣに充電されたパチンコ機内部へ供給される電圧の放電は、時刻ｔ６まで遅れてしまう。
【００１６】
従って、この図３の場合では、過電圧にもかかわらず、時刻ｔ３から時刻ｔ５までは、パチンコ機内部に電源が供給されてしまうことになる。又、図３において、時刻ｔ４から時刻ｔ６までの期間では、電源電圧が、二点鎖線で示される電圧、即ち、過電圧によってパチンコ機の内部回路が損傷するおそれの高くなる電圧以上になっている。
【００１７】
本発明は、前記従来の問題点を解決するべくなされたもので、電源投入のタイミングにかかわらず、誤った外部電源への接続などで生じえる電源電圧の過電圧から、パチンコ機の内部回路を比較的な簡単な構成で確実に保護することができるパチンコ機用電源装置をを提供することを課題とする。
【課題を解決するための手段】
【００１８】
本発明は、外部の設備からパチンコ機の内部へ供給される、交流の電源の経路に設けられる、該電源を整流し、パチンコ機内部の各部へ供給するパチンコ機用電源装置において、電源投入時に、前記電源の電圧が、過電圧を判定する基準電圧以下である状態が、規定時間継続した後から、該電源投入を有効とすることにより、前記課題を解決したものである。
【００１９】
更に、前記パチンコ機用電源装置において、前記規定時間を、過電圧として供給されるおそれがある電源の、交流の周期で変化する前記電源電圧が、前記基準電圧以下となってから、再び該基準電圧以上となるまでの期間より、長い時間としたことにより、前記課題を解決したものである。
【００２０】
以下、本発明の作用について、簡単に説明する。
【００２１】
交流の電源では、５０Ｈｚや６０Ｈｚの所定周期で電圧が変化している。従って、過電圧になる電源電圧でも、交流では、実行値やピーク値では過電圧であっても、周期的に過電圧の基準電圧以下となる電圧のタイミングも存在する。
【００２２】
このため、本願発明では、電源投入時に、前記供給側の電源の電圧が、過電圧を判定する基準電圧以下である状態が、規定時間継続した後から、該電源投入を有効とする。従って、電源投入のタイミングにかかわらず、誤った外部電源への接続などで生じえる電源電圧の過電圧から、パチンコ機の内部回路を比較的な簡単な構成で確実に保護することができる。
【００２３】
ここで、上記の規定時間は、電源スイッチのオンのタイミングにかかわらず、過電圧保護機能が適切に動作する時間以上であればよい。
【００２４】
例えば、パチンコ機用電源装置では、本来ＡＣ２４Ｖの電源を外部の設備の電源から供給するのに対して、パチンコ機と共に設置される貸し玉機などのＡＣ１００Ｖの電源を、誤って接続するおそれがある。従って、この、ＡＣ１００Ｖの電源の誤接続の場合は、確実にこれを検出して、パチンコ機の内部回路に電源が供給されないようにすればよい。従って、該規定時間を、過電圧として供給されるおそれがある電源の、交流の周期で変化するこのような電源電圧が、本願発明の基準電圧以下となってから、再び該基準電圧以上となるまでの期間より、長い時間とすればよい。
【００２５】
例えば、具体的には、過電圧を判定する基準電圧を、極わずか上回る程度の過電圧の電源電圧であると、過電圧となるのはピーク時のタイミング付近のみである。又、過電圧を判定する基準電圧以下である状態の期間は、その交流の最長（１／２）周期に近くなる。従って、上記の規定時間は、少なくとも（１／２）周期あれば充分と考えられる。
【００２６】
又、過電圧を判定する基準電圧に対して、過電圧となる電圧の電圧差がこのように小なら、過電圧を判断する基準電圧以下である状態の期間は長くなる。あるいは、該電圧差が大なら、過電圧を判定する基準電圧以下である状態の期間は短くなる。
【００２７】
具体的にパチンコ機用電源装置の場合、本来ＡＣ２４Ｖのところ、過電圧はＡＣ１００Ｖになるので、間違ってＡＣ１００Ｖを供給した場合で、上記の基準電圧を２４Ｖとした場合、この交流周期で変化する電源の電圧が、連続して２４Ｖ以下になっている期間より、本願発明の規定時間が長くなるようにすればよい。
【００２８】
ここで、ＡＣ１００Ｖの電源の電圧を、下記の（１）式であらわす。又、本願発明の基準電圧を２４Ｖとする。すると、該基準電圧に等しくなるタイミングのθdは、（２）式のようになる。このθdは、例えば−１３．８９°や、＋１３．８９°である。
【００２９】
従って、後述する実施形態のように全波整流を前提とした場合、該基準電圧以下になる期間は、例えば、連続して２４Ｖ以下になっている（θ＝−１３．８９°）から（θ＝＋１３．８９°）までである。又、該期間の長さは、５０Ｈｚの交流では約７７ｍＳであり、６０Ｈｚの交流では約６４ｍＳであり、又その周期において（１／６）周期程度である。従って、本願発明の規定時間が、このような期間の長さより、長くなるように設計すればよい。
【００３０】
電源電圧＝１００×ｓｉｎθ（単位：Ｖ）      ……（１）
θd＝ｓｉｎ-1（２４／１００）                ……（２）
【００３１】
従って、該規定時間は、以上のように定められる時間よりながければ、電源スイッチのオンのタイミングにかかわらず過電圧保護機能が適切に動作する。
【発明の効果】
【００３２】
従って、電源投入のタイミングにかかわらず、誤った外部電源への接続などで生じえる電源電圧の過電圧から、パチンコ機の内部回路を比較的な簡単な構成で確実に保護することができるパチンコ機用電源装置を提供することができる。
【発明を実施するための最良の形態】
【００３３】
以下、図を用いて本発明の実施の形態を詳細に説明する。
【００３４】
図４は、本願発明が適用された第１実施形態のパチンコ機用電源装置の本願発明が適用された部分周辺の回路図である。
【００３５】
本実施形態においては、過電圧判定回路１２の出力に、抵抗Ｒ５及びＲ６又コンデンサＣ１によって構成される、タイマ回路（時限回路）１４が構成されている。該タイマ回路の設定時間Ｔ又遅れ時間Ｔは、以下のようになる。
【００３６】
Ｔ＝−Ｃ１×（Ｒ３＋Ｒ５）×ＬＮ（１−ＶBE／ＶCC）
【００３７】
ここで、ＶBEは、トランジスタＱ２のベース・エミッタ電圧であり、ＶCCは、電源回路１６から整流され平滑されて供給される電源の電圧であり、ＬＮ（  ）は対数関数である。
【００３８】
図５は、本実施形態の動作を示すタイムチャートである。
【００３９】
このタイムチャートでは、図１の従来例では誤動作した前述した図３と同じタイミングにおいて、即ち、交流の電圧が低くなっているタイミングの時刻ｔ１で、電源スイッチＳＷ１をオンにしている。
【００４０】
このような場合にも、タイマ回路１４により、トランジスタＱ２のベース電圧は、即座に上昇しない（図５のタイムチャートの上から５段目）。従って、該トランジスタＱ２のコレクタ及びエミッタの間はオフのままとなるので、リレーＲＹ１のコイルの電流が遮断されたままとなる。該コイルの電流が遮断されたままであると、電源スイッチＳＷ１がオンであることに係わらず、該リレーＲＹ１の接点はオフであり、パチンコ機内部の各部への電源は供給されない（同じく上から６段目）。つまり、過電圧保護機能が適正に作用し、過電圧ゆえ、該供給が阻止されることになる。
【００４１】
図６は、本願発明が適用された第２実施形態のパチンコ機用電源装置の本願発明が適用された部分周辺の回路図である。
【００４２】
本実施形態では、第１実施形態のタイマ回路１４に対して、ツェナーダイオードＺＤ３が追加されている。これによって、該タイマ回路１４の動作が厳密になっている。
【００４３】
図７は、本願発明が適用された第３実施形態のパチンコ機用電源装置の本願発明が適用された部分周辺の回路図である。
【００４４】
本実施形態では、過電圧判定回路１２及びタイマ回路１４を、ＩＣ（Integrated  Circuit）を用いて構成している。
【００４５】
即ち、まず過電圧判定回路１２では、いわゆるリセットＩＣ１を、過電圧を判定するコンパレータとして用いている。過電圧であれば、該リセットＩＣ１は、Ｌ状態を出力する。次に、タイマ回路１４では、本願発明の規定時間が設定されるタイマＩＣ２を用いている。電源回路１６から電源が供給され始めてから該規定時間の後に、該タイマＩＣ２はＨ状態を出力する。そして、抵抗Ｒ８〜Ｒ１０によって、いわばＡＮＤ回路が構成され、リセットＩＣ１の出力がＨ状態で、かつ、タイマＩＣ２の出力がＨ状態となると、トランジスタＱ２のベースには、該トランジスタＱ２のコレクタ及びエミッタの間をオンするのに十分な電圧が印加されることになり、該印加によってリレーＲＹ１の接点がオンになる。
【００４６】
以上のように、第１〜第３実施形態によれば、本願発明を効果的に適用することができる。
【産業上の利用可能性】
【００４７】
以上説明したとおり、本発明によれば、電源投入のタイミングにかかわらず、誤った外部電源への接続などで生じえる電源電圧の過電圧から、パチンコ機の内部回路を比較的な簡単な構成で確実に保護することができるパチンコ機用電源装置を提供することができる。
【図面の簡単な説明】
【００４８】
【図１】従来からの、過電圧保護機能を設けたパチンコ機用電源装置の回路図。
【図２】過電圧時における該過電圧保護機能の動作を示すタイムチャート。
【図３】過電圧時における該過電圧保護機能の、誤動作時のタイムチャート。
【図４】本願発明が適用された第１実施形態のパチンコ機用電源装置の本願発明が適用された部分周辺の回路図。
【図５】上記実施形態の動作を示す図４に対応させたタイムチャート。
【図６】本願発明が適用された第２実施形態のパチンコ機用電源装置の本願発明が適用された部分周辺の回路図。
【図７】本願発明が適用された第３実施形態のパチンコ機用電源装置の本願発明が適用された部分周辺の回路図。
【符号の説明】
【００４９】
１０…過電圧保護回路
１２…過電圧判定回路
１４…タイマ回路
１６、２０…電源回路
Ｑ１、Ｑ２…トランジスタ
ＺＤ１〜ＺＤ３…ツェナーダイオード
ＤＢ１、ＤＢ２…ダイオード・ブリッジ
Ｃｘ、Ｃ、Ｃ１…コンデンサ
Ｒ１〜Ｒ１０…抵抗
ＩＣ１…リセットＩＣ
ＩＣ２…タイマＩＣ
【図１】
2007014691.tif 000003
【図２】
2007014691.tif 000004
【図３】
2007014691.tif 000005
【図４】
2007014691.tif 000006
【図５】
2007014691.tif 000007
【図６】
2007014691.tif 000008
【図７】
2007014691.tif 000009